(57)【要約】【課題】本発明の課題は、操作入力手段および制御手段の記憶内容の整合を簡単に取ることのできる自動販売機の制御装置を提供することである。【解決手段】第１識別情報と売上情報とを記憶する第１記憶部を有し、自動販売機のための情報を入力する操作入力手段と、第２識別情報と売上情報とを記憶する第２記憶部を有し、自動販売機の動作を制御する制御手段と、を備え、前記制御手段は、第１記憶部および第２記憶部の内容が一致しないとき、前記第１記憶部および前記第２記憶部の内容は消去せずに、第１記憶部あるいは第２の記憶部のいずれか一方の記憶部の内容を他方の記憶部に記憶することにより、記憶部の内容の信頼度を確実に向上できる。【選択図】      図１
2005031954.tif 000002
【特許請求の範囲】
【請求項１】
第１識別情報と売上情報とを記憶する第１記憶部を有し、自動販売機のための情報を入力する操作入力手段と、
第２識別情報と売上情報とを記憶する第２記憶部を有し、自動販売機の動作を制御する制御手段と、を備え、
前記制御手段は、第１記憶部および第２記憶部の内容が一致しないとき、前記第１記憶部および前記第２記憶部の内容は消去せずに、第１記憶部あるいは第２の記憶部のいずれか一方の記憶部の内容を他方の記憶部に記憶することを特徴とする自動販売機の制御装置。
【請求項２】
請求項１に記載の自動販売機の制御装置において、前記制御手段は、第１識別情報あるいは第２識別情報のいずれか一方が初期値により識別情報が一致しないとき、初期値でない側の記憶部の識別情報および売上情報を初期値側の記憶部に記憶することを特徴とする自動販売機の制御装置。
【請求項３】
請求項１に記載の自動販売機の制御装置において、前記制御手段は、第１識別情報および第２識別情報が初期値以外の値で一致し且つ前記第１記憶部および前記第２記憶部の売上情報の内容が一致しないとき、前記第２記憶部の売上情報を前記第１記憶部に記憶することを特徴とする自動販売機の制御装置。
【請求項４】
請求項１に記載の自動販売機の制御装置において、前記制御手段は、第１識別情報および第２識別情報の初期値以外の値で一致しないときで且つ第２の記憶部に売上情報を記憶している場合には、第２の記憶部の第２識別情報および売上情報を第１記憶部に記憶することを特徴とする自動販売機の制御装置。
【請求項５】
請求項１に記載の自動販売機の制御装置において、前記制御手段は、第１識別情報および第２識別情報の初期値以外の値で一致しないときで且つ第１の記憶部に売上情報を記憶し、第２の記憶部に売上情報を記憶していない場合には、第１の記憶部の第１識別情報および売上情報を第２記憶部に記憶することを特徴とする自動販売機の制御装置。
【請求項６】
請求項１ないし５に記載の自動販売機の制御装置において、前記操作入力手段は、表示部を備え、バッテリにより第１記憶部の記憶内容を表示部に表示可能であることを特徴とする自動販売機の制御装置。
【発明の詳細な説明】
【０００１】
【発明の属する技術分野】
本発明は、自動販売機において、売上情報を記憶することができる自動販売機の制御装置に関する。
【０００２】
【従来の技術】
一般に、自動販売機は、商品の売上個数を計数する機械式カウンタ（電磁カウンタ等）を備えており、作業員は、機械式カウンタの現在値から前回値を減算して商品の売上個数を求め、商品の売上個数如何に応じてリモコンを用いて商品の販売条件等を設定変更したりする。しかし、機械式カウンタは、機械式故の信頼性を有する反面、リモコンと別体になるので、作業員の作業効率の低下を招く問題があった。
【０００３】
最近の自動販売機は、上記の問題を解決するために、記憶内容を書き換え可能なメモリ（ＥＥＰＲＯＭ等）をリモコンに内蔵しており、機械式カウンタの代わりに商品の売上個数をメモリに記憶するとともにリモコンに表示し、作業員の作業効率の向上を可能とする（特許文献１参照）。
【０００４】
【特許文献１】
特開平６−１１１１００号公報
【０００５】
【発明が解決しようとする課題】
しかし、自動販売機の動作を制御する制御部は、商品の売上個数を初めとする複数の情報を統括的に記憶するものなので、リモコンまたは制御部の何れか一方を故障等の理由で交換すると、両者の商品の売上個数が一致しなくなって情報の信頼度が低下する問題があった。また、両者の商品の売上個数は、リモコンを手動操作することで一致するが、人的判断に依存するので、確実に一致する保証のない問題があった。
【０００６】
そこで、本発明は、操作入力手段および制御手段の記憶内容の整合を簡単に取ることのできる自動販売機の制御装置を提供することを目的とする。
【０００７】
【課題を解決するための手段】
本発明における自動販売機の制御装置は、以下の手段により前記課題を解決するものである。
（１）第１識別情報と売上情報とを記憶する第１記憶部を有し、自動販売機のための情報を入力する操作入力手段と、第２識別情報と売上情報とを記憶する第２記憶部を有し、自動販売機の動作を制御する制御手段と、を備え、前記制御手段は、第１記憶部および第２記憶部の内容が一致しないとき、前記第１記憶部および前記第２記憶部の内容は消去せずに、第１記憶部あるいは第２の記憶部のいずれか一方の記憶部の内容を他方の記憶部に記憶することにより、記憶部の内容の信頼度を確実に向上できる。
（２）上記（１）に記載の自動販売機の制御装置において、前記制御手段は、第１識別情報あるいは第２識別情報のいずれか一方が初期値により識別情報が一致しないとき、初期値でない側の記憶部の識別情報および売上情報を初期値側の記憶部に記憶することにより、記憶部の内容の信頼度を確実に向上できる。
（３）上記（１）に記載の自動販売機の制御装置において、前記制御手段は、第１識別情報および第２識別情報が初期値以外の値で一致し且つ前記第１記憶部および前記第２記憶部の売上情報の内容が一致しないとき、前記第２記憶部の売上情報を前記第１記憶部に記憶することにより、記憶部の内容の信頼度を確実に向上できる。
（４）上記（１）に記載の自動販売機の制御装置において、前記制御手段は、第１識別情報および第２識別情報の初期値以外の値で一致しないときで且つ第２の記憶部に売上情報を記憶している場合には、第２の記憶部の第２識別情報および売上情報を第１記憶部に記憶することにより、記憶部の内容の信頼度を確実に向上できる。
（５）上記（１）に記載の自動販売機の制御装置において、前記制御手段は、第１識別情報および第２識別情報の初期値以外の値で一致しないときで且つ第１の記憶部に売上情報を記憶し、第２の記憶部に売上情報を記憶していない場合には、第１の記憶部の第１識別情報および売上情報を第２記憶部に記憶することにより、記憶部の内容の信頼度を確実に向上できる。
（６）上記（１）ないし（５）に記載の自動販売機の制御装置において、前記操作入力手段は、表示部を備え、バッテリにより第１記憶部の記憶内容を表示部に表示可能とすることにより、操作入力手段単独で第１記憶部の記憶内容を確認できる。
【０００８】
【発明の実施の形態】
本発明の詳細を図１ないし図３に基づいて説明する。
【０００９】
まず、図３は本発明を適用する自動販売機の正面図であり、図３において、１は自動販売機本体を示し、１Ａはその前面扉を示し、設定、飲料補充等を行うときは開き、通常販売を行うときは閉じておくものである。２は透明な樹脂板からなるパネルであり、内部に陳列されている複数種類の缶あるいはペットボトル等の飲料サンプル３を確認するためのものである。６は表示部（有機ＥＬ、ＬＣＤ、ＬＥＤ等）で、投入硬貨金額、挿入紙幣金額等を表示するものである。７は商品選択釦で、販売可ランプおよび売り切れランプを内蔵し、飲料サンプル３それぞれに対応してパネル２に設けられるものである。この他、４は硬貨投入口、５は紙幣挿入口、８は商品取出口、９は返却レバー、１０は釣銭返却口である。
【００１０】
図２は、本発明の自動販売機の制御装置を説明するためのブロック図であり、図２において、１１は主制御部で、自動販売機の制御を統括するものであり、ＣＰＵ１１ａ、ＲＯＭ１１ｂ、ＲＡＭ１１ｃ等からなり、ＣＰＵ１１ａは、ＲＯＭ１１ｂから読み出されたプログラムデータの解読結果に従って複数の従制御部を統括制御するものであり、ＲＯＭ１１ｂは、後述する複数の従制御部を統括制御するためのプログラムデータが予め格納されたものであり、ＲＡＭ１１ｃは、ＣＰＵ１１ａによる演算結果、複数の従制御部からの各種データ等の書き込みまたは読み出しを行うものであり、売上情報としてのトータル、プライス別のカウンタのカウンタ値などを記憶する。
【００１１】
次に、２１は複数の従制御部に相当し、硬貨処理制御部１０２、紙幣処理制御部１０３、接客制御部１０４、販売制御部１０５からなり、主制御部１１と同様のＲＯＭ、ＣＰＵ、ＲＡＭを内蔵するものであり、以下に詳細を説明する。
【００１２】
まず、硬貨処理制御部１０２は、硬貨投入機構１０６を制御し、投入硬貨の金種、正偽等の判別、金種別枚数の計算、金庫への余剰硬貨の収容、釣銭払い出し等を行わせるもので、硬貨投入機構１０６は、釣銭切れを検出する釣銭切れセンサを備え、硬貨投入口４からの投入硬貨を受け取り、必要に応じて釣銭を返却口１０から返却するものであり。硬貨処理制御部１０２と硬貨投入機構１０６からコインメカ３１が形成される。
【００１３】
次に、紙幣処理制御部１０３は、紙幣挿入機構１０７を制御し、挿入紙幣の金種、正偽等の判別、金種別枚数の計算、釣札払い出し等を行わせるもので、紙幣挿入機構１０７は、硬貨投入機構１０６と同様に、釣札切れを検出する釣札切れセンサを備え、紙幣挿入口５からの挿入紙幣を受け取り、必要に応じて釣札を紙幣挿入口５から返却するものであり、紙幣処理制御部１０３と紙幣挿入機構１０７からビルバリ４１が形成される。
【００１４】
このコインメカ３１およびビルバリ４１の代わりに、先払いカードまたは後払いカードを挿入するカード読み取り装置（図示せず）を設けることによって、飲料を販売できるようにしてもよい。
【００１５】
次に、接客制御部１０４は、表示部６、商品選択釦７、販売中，販売中止，釣銭切れランプ（図示せず）等からなる接客面１０８を制御するものであり、接客制御部１０４は、主制御部１１からの飲料販売に関する接客指示に従って、販売飲料別の商品選択釦７の販売可ランプまたは売切ランプを点灯させたり、更には、複数の商品選択釦７の何れが押下されたのかを検出し、このときの検出信号を主制御部１１に送信したりする。
【００１６】
販売制御部１０５は、販売機構１０９を制御し、接客制御部１０４からの前記検出信号に応答した主制御部１１からの販売指示に従って、利用者が希望する飲料を販売機構１０９は商品取出口８まで搬出するものである。
【００１７】
１１０はリモコン（操作入力手段）であり、キー１１１（テンキー、ファンクションキー、スイッチ等）と、キー１１１の操作に関する内容を表示する８桁の表示部１１２（有機ＥＬ、ＬＣＤ等）と、売上情報としての飲料のトータル、プライス別カウンタのカウンタ値を記憶する書き換え可能なメモリ１１３と、を備えたものである。
【００１８】
リモコン１１０は、主制御部１１と有線で接続されるとともに、前面扉１ａの裏面に着脱自在に配設され、飲料のためのコラム設定、金額設定、メンテナンス等を行う際に操作するものである。主制御部１１は、リモコン１１０からの入力情報に基づいて、硬貨処理制御部１０２、紙幣処理制御部１０３、接客制御部１０４、販売制御部１０５に対して、それぞれの指示を行う。主制御部１１は、販売制御部１０５からの販売終了信号を受信すると、メモリ１１３が記憶する飲料の売上情報のカウンタ値を販売分だけ更新するための信号をリモコン１１０に送信する。メモリ１１３は、この信号に従って、飲料のカウンタ値を更新して記憶する。
【００１９】
なお、リモコン１１０には、主制御部１１と有線で接続されているときには、自動販売機側から電源が供給されているが、単体でも表示部に内容を表示できるようにするため、バッテリ１１４を有する。このバッテリとしては、乾電池などの内蔵形あるいはコードなどにより外部から接続できるようにしてもよい。
【００２０】
主制御部１１のＲＡＭ１１ｃは、上記したように飲料のトータル、プライス別カウンタのカウンタ値を記憶するのを含め複数の各種情報を統括的に記憶するものであり、ＲＡＭ１１ｃの記憶領域Ｘは、メモリ１１３と同一の記憶内容を記憶する。しかし、主制御部１１またはリモコン１１０の何れか一方を故障等の理由で交換すると、ＲＡＭの記憶領域Ｘおよびメモリ１１３の記憶内容は、一致しなくなるので、主制御部１１およびリモコン１１０は、飲料の売上情報の通信を行うときに不整合を生じて、正確な飲料の売上情報を管理できなくなる。そのため、ＲＡＭの記憶領域Ｘおよびメモリ１１３は、記憶内容の一致または不一致を確認するための、例えば、同一の識別情報である６桁のＩＤ番号Ｂ（第２識別情報）およびＩＤ番号Ａ（第１識別情報）を記憶する。
【００２１】
なお、主制御部１１と従制御部１０２〜１０５との間の通信は、主制御部１１が優先的な送信権を有するポーリング方式、或いは、主制御部１１および従制御部１０２〜１０５が対等な送信権を有するコンテンション方式の何れであってもよい。
【００２２】
図３は、本発明の自動販売機の制御装置を説明するためのフローチャートである。
【００２３】
先ず、主制御部１１は、自動販売機の電源が投入されると、ＲＯＭ内の初期化プログラムを実行開始し、主制御部１１では、リモコン１１０からＩＤ番号Ａと全ての売上情報としてのカウンタ値のデータを受信する（Ｓ１）。
【００２４】
主制御部１１は、ＲＡＭ１１ｃ内のＩＤ番号Ｂと、リモコンのメモリ１１３内のＩＤ番号Ａとが一致するかどうかを判別する（Ｓ２）。
【００２５】
主制御部１１は、ＩＤ番号Ａ、ＩＤ番号Ｂが一致しないものと判別すると（Ｓ２，Ｎｏ）、主制御部１１またはリモコン１１０のどちらを交換したかを判別し、リモコン１１０のＩＤ番号Ａが初期値「０」であると判別すると、リモコン１１０を新しいものに交換したと判別して（Ｓ３，Ｙｅｓ）、主制御部１１は、ＲＡＭ１１ｃの記憶領域Ｘに記憶している売上情報（カウンタ値）をリモコン１１０のメモリ１１３に記憶させ、かつＩＤ番号Ｂの識別情報をＩＤ番号Ａに記憶する（Ｓ４）。
【００２６】
一方、ステップＳ３にて、主制御部１１のＩＤ番号Ｂが初期値「０」であると判別すると、主制御部１１を新しいものに交換したと判別して（Ｓ３，Ｎｏ）、リモコン１１０のメモリ１１３に記憶している売上情報（カウンタ値）を主制御部１１のＲＡＭ１１ｃの記憶領域Ｘに記憶し、かつＩＤ番号Ａの識別情報をＩＤ番号Ｂに記憶する（Ｓ５）。
【００２７】
このように、一方の記憶部の内容を他方の記憶部に記憶する際に、記憶される側の記憶部の内容を消去せずに上書きすることにより、データ送受信中のトラブルによりデータが消去してしまうということが無くなる。
【００２８】
次に、上記ステップ２にて、主制御部１１は、ＩＤ番号Ａ、ＩＤ番号Ｂが一致するものと判別すると（Ｓ２、Ｎｏ）、更に、ＩＤ番号Ａ、ＩＤ番号Ｂが初期値「０」であるかどうかを判別する（Ｓ６）。
【００２９】
主制御部１１は、ＩＤ番号Ａ、Ｂが初期値「０」でないと判別すると（Ｓ７、ＹＥＳ）、更に、ＲＡＭ１１ｃの記憶領域Ｘおよびメモリ１１３の売上情報（カウンタ値）が一致するかどうかを判別する（Ｓ７）。
【００３０】
主制御部１１は、ＲＡＭ１１ｃの記憶領域Ｘおよびメモリ１１３の売上情報（カウンタ値）が一致しないものと判別すると（Ｓ７、Ｎｏ）、主制御部１１のＲＡＭ１１ｃの記憶領域Ｘの売上情報（カウンタ値）をリモコン１０のメモリ１１３に記憶する（Ｓ８）。
【００３１】
一方、ステップＳ７にて、主制御部１１は、ＲＡＭ１１ｃの記憶領域Ｘおよびメモリ１１３の売上情報が一致するものと判別すると（Ｓ７、Ｙｅｓ）、待機状態となる。
【００３２】
次に、上記ステップＳ６に戻り、主制御部１１は、ＩＤ番号Ａ、ＩＤ番号Ｂが共に初期値「０」であると判別すると、主制御部１１およびリモコン１１０を新設したものと判別して（Ｓ６、Ｎｏ）、ＲＡＭ１１ｃおよびメモリ１１３の全記憶内容を消去して（Ｓ９）、主制御部１１でＩＤ番号Ｂを取得し、そのＩＤ番号Ｂをリモコン１１０に送信して、メモリ１１３でＩＤ番号Ａとして記憶する（Ｓ１０）。
【００３３】
次に、上記実施の形態では、ステップＳ３の判別において、主制御部１１あるいはリモコンのいずれか一方が新しいものに交換された場合について説明したが、例えば、中古品に交換された場合には、リモコン１１０のＩＤ番号Ａ、主制御部１１のＩＤ番号Ｂが共に初期値以外の値を示して一致していない場合がある。この場合には、主制御部１１のＩＤ番号Ｂおよび売上情報（カウンタ値）をリモコン１１０に送信して、メモリ１１３でＩＤ番号Ａとして記憶し、売上情報（カウンタ値）も記憶する。
【００３４】
なお、この場合において、主制御部１１のＲＡＭ１１ｃの記憶領域Ｘに売上情報（カウンタ値）が記憶されていない場合には、リモコン１１３のＩＤ番号Ａと売上情報（カウンタ値）とを主制御部１１に送信し、主制御部１１では、ＲＡＭ１１ｃの記憶領域Ｘに送信されたＩＤ番号ＡをＩＤ番号Ｂとして記憶し、売上情報（カウンタ値）も記憶する。
【００３５】
また、上記実施の形態において、書き換えられる側のＩＤ番号、売上情報（カウンタ値）を、書き換えられる際に主制御部１１のＲＡＭ１１ｃの記憶領域Ｙに履歴データとして記憶させておくことにより、何らかの問題が発生した場合に、リモコン１１０の操作で確認可能とし、またその履歴データに売上情報を書き換えることも可能となる。
【００３６】
さらに、リモコン１１０にて主制御部１１から電源供給を受けることができない場合であっても、バッテリ１１４をリモコンに搭載あるいは接続することにより、リモコン１１０単独でメモリ１１３の記憶内容を確認が容易に表示部に表示して確認することができるので、リモコンを事務所に持ち帰る必要が無く、その場でデータの確認が可能となる。
【００３７】
【発明の効果】
本発明の自動販売機の制御装置によれば、以下の効果が得られるものである。
（１）第１識別情報と売上情報とを記憶する第１記憶部を有し、自動販売機のための情報を入力する操作入力手段と、第２識別情報と売上情報とを記憶する第２記憶部を有し、自動販売機の動作を制御する制御手段と、を備え、前記制御手段は、第１記憶部および第２記憶部の内容が一致しないとき、前記第１記憶部および前記第２記憶部の内容は消去せずに、第１記憶部あるいは第２の記憶部のいずれか一方の記憶部の内容を他方の記憶部に記憶することにより、記憶部の内容の信頼度を確実に向上できる。
（２）上記（１）に記載の自動販売機の制御装置において、前記制御手段は、第１識別情報あるいは第２識別情報のいずれか一方が初期値により識別情報が一致しないとき、初期値でない側の記憶部の識別情報および売上情報を初期値側の記憶部に記憶することにより、記憶部の内容の信頼度を確実に向上できる。
（３）上記（１）に記載の自動販売機の制御装置において、前記制御手段は、第１識別情報および第２識別情報が初期値以外の値で一致し且つ前記第１記憶部および前記第２記憶部の売上情報の内容が一致しないとき、前記第２記憶部の売上情報を前記第１記憶部に記憶することにより、記憶部の内容の信頼度を確実に向上できる。
（４）上記（１）に記載の自動販売機の制御装置において、前記制御手段は、第１識別情報および第２識別情報の初期値以外の値で一致しないときで且つ第２の記憶部に売上情報を記憶している場合には、第２の記憶部の第２識別情報および売上情報を第１記憶部に記憶することにより、記憶部の内容の信頼度を確実に向上できる。
（５）上記（１）に記載の自動販売機の制御装置において、前記制御手段は、第１識別情報および第２識別情報の初期値以外の値で一致しないときで且つ第１の記憶部に売上情報を記憶し、第２の記憶部に売上情報を記憶していない場合には、第１の記憶部の第１識別情報および売上情報を第２記憶部に記憶することにより、記憶部の内容の信頼度を確実に向上できる。
（６）上記（１）ないし（５）に記載の自動販売機の制御装置において、前記操作入力手段は、表示部を備え、バッテリにより第１記憶部の記憶内容を表示部に表示可能とすることにより、操作入力手段単独で第１記憶部の記憶内容を確認できる。
【００３８】
このように、記憶部の内容を消去せずに、データの複写（上書き）を行なうことで、データ送受信の際の信頼性が向上し、制御手段側に識別情報および売上情報を有する場合には、制御手段側のデータを優先することで、データの信頼性を向上させることができる。
【図面の簡単な説明】
【図１】本発明の自動販売機の制御装置を説明するためのブロック図である。
【図２】本発明の自動販売機の制御装置を説明するためのフローチャートである。
【図３】本発明を適用する自動販売機の正面図の一例である。
【符号の説明】
１１    主制御部
２１    従制御部
１１ａ  ＣＰＵ
１１ｂ  ＲＯＭ
１１ｃ  ＲＡＭ
１０５  販売制御部
１１０  リモコン
１１２  表示部
１１３  メモリ
１１４  バッテリ
【図１】
2005031954.tif 000003
【図２】
2005031954.tif 000004
【図３】
2005031954.tif 000005